(57)【要約】【課題】下地面材の枠組部材への固定と下地面材への透湿防水シートの被覆とが速やかに高い精度で行われ、高い防水性を有する壁パネルおよび壁パネルの施工方法を提供する。【解決手段】建物の枠組部材に固定される下地面材１１と下地面材１１を防水する透湿防水シート１２とを有する壁パネル５は、下地面材１１が方形の板状体からなり、透湿防水シート１２が下地面材１１の正面Ｆと正面Ｆと直交する第１の側面Ｓ１と第１の側面Ｓ１と反対側の第２の側面Ｓ２とを覆い、第１の側面Ｓ１の一端から他端まで均一の幅Ｌ３で張り出す張出部１２ａと、正面Ｆから第１の側面Ｓ１および第２の側面Ｓ２と直交する第３の側面Ｓ３の方向に長さＬ４で均一に水平に延びる延長部１２ｂとを有するよう構成される。【選択図】図３
2018193693.tif 000002
【特許請求の範囲】
【請求項１】
建物の枠組部材に固定される下地面材と前記下地面材を防水する透湿防水シートとを有する壁パネルにおいて、
前記下地面材が方形の板状体からなり、前記透湿防水シートが、前記板状体の正面と、前記正面に直交する第１の側面と、前記第１の側面とは反対側の第２の側面とを覆い、前記第１の側面および前記第２の側面のうち少なくともいずれか１つの側面から張り出す張出部と、前記正面から前記第１の側面および前記第２の側面と直交する第３の側面および第４の側面のうち少なくともいずれか１つの側面の方向に水平に延びる延長部と、を有することを特徴とする壁パネル。
【請求項２】
前記張出部が前記第１の側面または前記第２の側面の一方の端から他方の端まで均一の幅で張り出し、前記延長部が前記第３の側面または前記第４の側面の一方の端から他方の端まで均一の幅で水平に延びることを特徴とする請求項１に記載の壁パネル。
【請求項３】
前記透湿防水シートが覆う前記板状体の前記正面、前記第１の側面および前記第２の側面と、前記透湿防水シートとが接合されることを特徴とする請求項１または請求項２に記載の壁パネル。
【請求項４】
請求項１〜請求項３のいずれか１項に記載の壁パネルの施工方法において、
一枚目の前記壁パネルの前記正面とは反対側の裏面と前記枠組部材とが向かい合うよう一枚目の前記壁パネルを前記枠組部材に固定し、固定された一枚目の前記壁パネルの前記張出部を二枚目の前記壁パネルで前記枠組部材に押し付けて二枚目の前記壁パネルを前記枠組部材に固定し、固定された一枚目の前記壁パネルの前記延長部と前記枠組部材との間に三枚目の前記壁パネルを差し込んで三枚目の前記壁パネルを前記枠組部材に固定することを特徴とする壁パネルの施工方法。
【発明の詳細な説明】
【技術分野】
【０００１】
本発明は、建物の外壁を形成する壁パネルおよび壁パネルの施工方法に関する。
【背景技術】
【０００２】
従来、この種の壁パネルとして、建物の枠組部材に固定され建物に耐力を付与する板状の耐力面材や外壁の耐火性能を向上させる耐火面材を構成する石膏ボードなどの下地面材が開示されている（例えば、特許文献１参照）。
【０００３】
特許文献１に記載の壁パネルを構成する石膏ボードなどの下地面材は、耐水性がよくないという特質がある。そのため下地面材を建物の枠組部材に固定した後、雨水などの水滴から保護する防水処理を施す必要がある。この防水処理として、特許文献１に記載の壁パネルに対しては、湿気を透過させるが水は通さない性質の透湿防水シートを壁パネルに施工する施工方法が一般に行われている。
【０００４】
この施工方法は、建物の下側から横方向に透湿防水シートを全周巻き付け、所定の寸法で重ねて順次上側に巻き付けて壁パネルの全体を覆うようにしている。次いで、巻き付けた透湿防水シートを、ステープルなどの固定針で下地面材に固定している。このような壁パネルの施工方法によれば、透湿防水シートで下地面材の全体が覆われるので、透湿性と防水性が確保される。
【先行技術文献】
【特許文献】
【０００５】
【特許文献１】特開２０１５−１６５０８７号公報
【発明の概要】
【発明が解決しようとする課題】
【０００６】
しかしながら、特許文献１に記載の壁パネルや一般に行われる壁パネルの施工方法においては、透湿防水シートの巻き付けは、現場での職人の手作業で行われるので、防水性の程度にばらつきが生じたり、手間がかかってしまうという問題がある。
【０００７】
また、特許文献１に記載の壁パネルや一般に行われる壁パネルの施工方法においては、下地面材を建物の枠組部材に固定する工程と、下地面材に透湿防水シートを被覆する工程とが別々の工程で行われる。その結果、これらの工程と工程との間に期間が生じてしまうと、下地面材に透湿防水シートを被覆する前に、降雨により下地面材に水滴が浸透して下地面材が損なわれてしまうおそれがあるという問題がある。
【０００８】
また、巻き付けた透湿防水シートを、ステープルなどの固定針で下地面材に固定すると、透湿防水シートに固定針の通る穴が多数開いてしまい、防水性が低下するおそれがあるという問題もある。
【０００９】
本発明は、下地面材の枠組部材への固定と下地面材への透湿防水シートの被覆とが速やかに高い精度で行われ、高い防水性を有する壁パネルおよび壁パネルの施工方法を提供することを課題とする。
【課題を解決するための手段】
【００１０】
本発明に係る壁パネルは、建物の枠組部材に固定される下地面材と前記下地面材を防水する透湿防水シートとを有する壁パネルにおいて、前記下地面材が方形の板状体からなり、前記透湿防水シートが、前記板状体の正面と、前記正面に直交する第１の側面と、前記第１の側面とは反対側の第２の側面とを覆い、前記第１の側面および前記第２の側面のうち少なくともいずれか１つの側面から張り出す張出部と、前記正面から前記第１の側面および前記第２の側面と直交する第３の側面および第４の側面のうち少なくもといずれか１つの側面の方向に水平に延びる延長部とを有するよう構成される。この構成により、本発明に係る壁パネルは、透湿防水シートが板状体の正面、第１の側面および第２の側面を覆っているので、下地面材に直接水滴が掛かることはなく、防水性が確保される。
【００１１】
また、本発明に係る壁パネルは、板状体の第１の側面および第２の側面のうち少なくともいずれか１つの側面から張り出す張出部と、第３の側面および第４の側面のうち少なくともいずれか１つの側面の方向に水平に延びる延長部とを有している。この構成により、本発明に係る壁パネルは、建物の枠組部材に固定された壁パネルと隣接する壁パネルとの間が、張出部の部分で重なり合うとともに、延長部の部分で重なり合うので、壁パネルと隣接する壁パネルとの間でも防水性が確保される。
【００１２】
本発明に係る壁パネルは、前記張出部が前記第１の側面または前記第２の側面の一方の端から他方の端まで均一の幅で張り出し、前記延長部が前記第３の側面または前記第４の側面の一方の端から他方の端まで均一の幅で水平に延びるよう構成される。この構成により、本発明に係る壁パネルは、張出部および延長部が各側面の一方の端から他方の端まで均一の幅で形成されているので、壁パネルと隣接する壁パネルとの間における防水性が均一に確保される。
【００１３】
本発明に係る壁パネルは、前記透湿防水シートが覆う前記板状体の前記正面、前記第１の側面および前記第２の側面と、前記透湿防水シートとが接合されるよう構成される。この構成により、本発明に係る壁パネルは、透湿防水シートが覆う板状体の正面、第１の側面および第２の側面と透湿防水シートとが密着するので、透湿防水シートと板状体との間に隙間が生ずることはない。また、透湿防水シートがステープルなどの固定針で板状体に固定されないので、透湿防水シートに固定針の通る穴が多数開いてしまい、防水性が低下するというおそれもなく、防水性が確保される。    
【００１４】
本発明に係る壁パネルの施工方法は、一枚目の前記壁パネルの前記正面とは反対側の裏面と前記枠組部材とが向かい合うよう一枚目の前記壁パネルを前記枠組部材に固定し、固定された一枚目の前記壁パネルの前記張出部を二枚目の前記壁パネルで前記枠組部材に押し付けて二枚目の前記壁パネルを前記枠組部材に固定し、固定された一枚目の前記壁パネルの前記延長部と前記枠組部材との間に三枚目の前記壁パネルを差し込んで三枚目の前記壁パネルを前記枠組部材に固定するよう構成される。
【００１５】
この構成により、本発明に係る壁パネルの施工方法は、一枚目の壁パネルと隣接する二枚目の壁パネルとが張出部で重なり合うとともに、一枚目の壁パネルと隣接する三枚目の壁パネルとが延長部で重なり合っている。その結果、壁パネルを順次枠組部材に固定するだけで、壁パネルの防水性が確保されるので、建物の下側から横方向に透湿防水シートを全周巻き付け、所定の寸法で重ねて順次上側に巻き付けて壁パネルの全体を覆う施工方法を行う必要がなくなる。本発明に係る壁パネルの施工方法は、建物の建設現場で、簡単に壁パネルを枠組部材に設置することができ、壁パネルの施工の効率が高められる。
【発明の効果】
【００１６】
本発明に係る壁パネルおよび壁パネルの施工方法によれば、下地面材の枠組部材への固定と下地面材への透湿防水シートの被覆とが速やかに高い精度で行われ、高い防水性を有する壁パネルおよび壁パネルの施工方法を提供することができる。
【図面の簡単な説明】
【００１７】
【図１】第１実施形態に係る壁パネルで構成される建物の壁の部分断面図を示す。
【図２】第１実施形態に係る複数の壁パネルを建物の外壁の枠組部材に固定した状態の斜視図である。
【図３】第１実施形態に係る壁パネルを下地面材と透湿防水シートに分解した分解斜視図である。
【図４】第１実施形態に係る壁パネルの透湿防水シートの展開図である。
【図５】第１実施形態に係る壁パネルを順に枠組部材に固定する施工方法の説明図である。
【図６】第１実施形態に係る壁パネルの施工方法を説明する説明図である。
【図７】第２実施形態に係る複数の壁パネルを建物の外壁の枠組部材に固定した状態の斜視図である。
【図８】第２実施形態に係る壁パネルを下地面材と透湿防水シートに分解した分解斜視図である。
【図９】第２実施形態に係る壁パネルの透湿防水シートの展開図である。
【図１０】第２実施形態に係る壁パネルの施工方法を説明する説明図である。
【図１１】第３実施形態に係る複数の壁パネルを建物の外壁の枠組部材に固定した状態の斜視図である。
【図１２】第３実施形態に係る壁パネルを下地面材と透湿防水シートに分解した分解斜視図である。
【図１３】第３実施形態に係る壁パネルの透湿防水シートの展開図である。
【図１４】変形例に係る大型壁パネルを建物の外壁に施工した状態の斜視図である。
【図１５】変形例に係る大型壁パネルをパネル本体と透湿防水シートに分解した分解斜視図である。
【発明を実施するための形態】
【００１８】
（第１実施形態）
本発明に係る壁パネルおよび壁パネルの施工方法を、建物１の外壁２に適用した第１実施形態に係る壁パネル５の構成および壁パネル５の施工方法について図面を参照して説明する。
【００１９】
建物１の外壁２は、図１に示すように、枠組部材３と、石膏ボード４と、壁パネル５と、断熱材６と、縦胴縁７と、外装材８と、通気層９とにより構成される。枠組部材３は、図２に示すように、基礎Ｋに沿って設置された梁Ｈに垂直に固定され、建物１の横方向に等間隔に配置された複数の柱３ａで構成されている。
【００２０】
石膏ボード４は、図１および図２に示すように、枠組部材３の屋内側に固定されており、壁パネル５は枠組部材３の屋外側に固定されている。断熱材６は、石膏ボード４と壁パネル５と枠組部材３の柱３ａとにより囲まれた空間に設けられている。縦胴縁７は、枠組部材３と同様に、建物１の横方向に等間隔に配置されており、壁パネル５に固定されている。外装材８は、縦胴縁７の屋外側に固定されている。通気層９は、壁パネル５と外装材８と縦胴縁７とにより囲まれた空間からなり、この空間を通して空気が流通するようになっている。
【００２１】
壁パネル５は、図３に示すように、下地面材１１と透湿防水シート１２とにより構成されている。下地面材１１は、方形の板状体としての石膏ボードからなり、建物１の耐力を向上させる耐力面材の機能を有するとともに、外壁２の耐火性能を向上させる耐火面材の機能を有している。なお、下地面材１１は、石膏ボード以外の板状体であってもよい。例えば、パルプ、けい酸質混入セメント板や構造用合板であってもよい。
【００２２】
下地面材１１は、例えば、縦の長さＬ１、横幅Ｌ２および厚みｔで形成されている。縦の長さＬ１、横幅Ｌ２および厚みｔは、建物１、外壁２の設定諸元などのデータにより適宜選択され、例えば、長さＬ１は、３，０００ｍｍ程度、横幅Ｌ２は、９００ｍｍ程度、厚みｔは、１０ｍｍ程度のものである。下地面材１１は、正面Ｆ、第１の側面Ｓ１、第２の側面Ｓ２、第３の側面Ｓ３、第４の側面Ｓ４を有している。
【００２３】
透湿防水シート１２は、水蒸気などの湿気を通し水を遮る特質を有し、例えば、ポリエチレンなどの不織布で、０．１ｍｍないし０．５ｍｍ程度の厚みで形成されている。なお、図３などの透湿防水シート１２は、説明の便宜上、大きな厚みで図示されている。
【００２４】
透湿防水シート１２は、下地面材１１の正面Ｆの全面を覆い、さらに正面Ｆから折り曲げて下地面材１１の第１の側面Ｓ１および第２の側面Ｓ２を覆っている。また、透湿防水シート１２は、第１の側面Ｓ１の一端から他端まで幅Ｌ３で均一に張り出す張出部１２ａを有している。透湿防水シート１２は、さらに正面Ｆから第４の側面Ｓ４の方向に長さＬ４で水平に延びる延長部１２ｂと、正面Ｆから第２の側面Ｓ２の方向に幅Ｌ４および長さＬ５で均一に水平に延びる延長部１２ｃとを有している。
【００２５】
図４に示すように、透湿防水シート１２は、展開すると縦Ｌ６、横Ｌ７の大きさの平坦な方形のシートとなり、縦ｋ１、横ｋ２の切り欠きを有している。この透湿防水シート１２は、第１の側面Ｓ１に密着するように一点鎖線で山折りに折り曲げられ、さらに一点鎖線で谷折りに折り曲げられる。また、透湿防水シート１２は、第２の側面Ｓ２に密着するように一点鎖線で山折りに折り曲げられて下地面材１１に接合される。
【００２６】
次いで、第１実施形態に係る壁パネル５の施工方法について説明する。
壁パネル５は、建物１の外壁２の下側から順番に固定される。具体的には、最初に、外壁２の下側を建物１の全周に亘って覆うように配置されて下段が形成される。そして、下段の上に連続して、外壁２の上側を建物１の全周に亘って覆うように配置されて上段が形成される。例えば図５に示すように、まず、下段の一枚目の壁パネル５のＰ１を枠組部材３にボード用ビスなどの固定具Ｂで固定する。壁パネル５は、下地面材１１の正面Ｆと反対側の裏面と枠組部材３とが向かい合うように枠組部材３に固定される。
【００２７】
次に、固定された下段の一枚目の壁パネル５のＰ１の隣に二枚目の壁パネル５のＰ２を並べて配置する。その際、一枚目の壁パネル５のＰ１の張出部１２ａを、矢印で示すように二枚目の壁パネル５のＰ２の裏面側で枠組部材３に押し付ける。そして、図６の平坦部に示すように、二枚目の壁パネル５のＰ２の側面を一枚目の壁パネル５のＰ１の側面に突き合わせた状態で、二枚目の壁パネル５のＰ２を枠組部材３にＰ１と同様に固定する。この場合、図２に示すように、二枚目の壁パネル５のＰ２の延長部１２ｃが、一枚目の壁パネル５のＰ１の延長部１２ｂの表面側に重なる。そして、三枚目以降の壁パネル５も同様に横に並べて枠組部材３に固定し、建物１の下側を複数の連続する壁パネル５で全周に亘って覆うように固定して壁パネル５の下段を形成する。
【００２８】
次いで、上段の壁パネル５を固定する。上段の壁パネル５は、下段の複数の壁パネル５と同様に、枠組部材３に固定具Ｂで固定される。例えば図５に示すように、固定された下段の一枚目の壁パネル５のＰ１の上に上段の一枚目の壁パネル５のＰ３を載せて、上段の一枚目の壁パネル５のＰ３の側面を下段の一枚目の壁パネル５のＰ１の側面に突き合わせた状態で、上段の一枚目の壁パネル５のＰ３を枠組部材３にＰ１と同様に固定する。さらに、上段の二枚目以降も、同様に横に並べて枠組部材３に固定し、建物１の上側を複数の連続する壁パネル５で全周に亘って覆うように固定して壁パネル５の上段を形成する。
【００２９】
第１実施形態に係る壁パネル５は、平坦な面に施工するだけでなく、壁パネル５どうしが直角に交わるコーナ部にも施工されることがある。この場合、図６に示すように、壁パネル５が互いに外向きに出あってできる角の部分となる出隅部では、平坦部に位置する壁パネル５が、平坦部と直交する向きに位置する壁パネル５の張出部１２ａを枠組部材３に向かって押し付けた状態で、平坦部に位置する壁パネル５を枠組部材３に固定する。
【００３０】
一方、二つの壁パネル５が内向きに入りあってできる角の部分となる入隅部では、平坦部と直交する向きに位置する壁パネル５が、平坦部に位置する壁パネル５の張出部１２ａを枠組部材３に向かって押し付けた状態で、平坦部と直交する向きに位置する壁パネル５を枠組部材３に固定する。
【００３１】
なお、壁パネル５を枠組部材３に施工する際に、図示しないが、壁面に窓枠のサッシが設けられることがある。この場合でも、壁面に窓枠の周辺の壁パネル５は、第１実施形態に係る壁パネル５の施工方法により施工することができる。即ち、窓枠の周辺の防水性を確保するよう、壁パネル５の窓枠側に面する側面から張り出す張出部１２ａと同様の張出部や、延長部１２ｂと同様の延長部を設けるようにしてもよい。この張出部や延長部で窓枠の周辺が透湿防水シートで重ね合わさることになる。さらに、防水性を高めるよう、窓枠の周辺、いわゆるサッシ回りについて片面防水テープなどの防水部材で仕上げるようにしてもよい。
【００３２】
以上説明したように構成される第１実施形態に係る壁パネル５の効果について説明する。
第１実施形態に係る壁パネル５は、透湿防水シート１２が下地面材１１の正面Ｆ、第１の側面Ｓ１および第２の側面Ｓ２を覆い、第１の側面Ｓ１の側面から張り出す張出部１２ａと、第４の側面Ｓ４の方向に水平に延びる延長部１２ｂ、１２ｃとを有している。
【００３３】
この構成により、第１実施形態に係る壁パネル５は、透湿防水シート１２により、下地面材１１に直接水滴が掛かることはなく防水性が確保されるという効果が得られる。また、壁パネル５と隣接する壁パネル５とは、第１の側面Ｓ１の均一の幅の張出部１２ａで重なり合っている。その結果、壁パネル５と隣接する壁パネル５との突き合わせ部分の隙間から、水が壁パネル５の屋外側から屋内側に浸入することはなく、防水性が確保されるという効果が得られる。
【００３４】
さらに、壁パネル５と隣接する壁パネル５とは、第４の側面Ｓ４の均一の幅の延長部１２ｂおよび１２ｃで重なり合っている。その結果、壁パネル５と隣接する壁パネル５との突き合わせ部分の隙間から、水が壁パネル５の屋外側から屋内側に浸入することはなく、防水性が確保されるという効果が得られる。
【００３５】
また、壁パネル５どうしが直角に交わる出隅部や入隅部などのコーナ部に対しても、壁パネル５の張出部１２ａや延長部１２ｂ、１２ｃで重ね合わせることができ、コーナ部の防水性も確保することができるという効果が得られる。さらに、窓枠などのサッシ回りについても、壁パネル５の張出部１２ａや延長部１２ｂで重ね合わせることができ、サッシ回りの防水性も確保することができるという効果が得られる。
【００３６】
また、第１実施形態に係る壁パネル５は、透湿防水シート１２が覆う下地面材１１の正面Ｆ、第１の側面Ｓ１および第２の側面Ｓ２と、透湿防水シート１２とが接合されるので、下地面材１１と透湿防水シート１２とが一体になって枠組部材３に固定される。その結果、従来の壁パネルの施工方法で行われていた職人による現場での手作業の工程が不要となる。
【００３７】
即ち、建物の下側から横方向に透湿防水シートを全周巻き付け、所定の寸法で重ねて順次上側に巻き付けて壁パネルの全体を覆う施工方法を行う必要が無くなり、壁パネルの施工の作業効率が高められるとともに、高い精度で施工が行われるので、防水性が高められるという効果が得られる。
【００３８】
第１実施形態に係る壁パネル５の施工方法は、固定された一枚目の壁パネル５のＰ１の張出部１２ｂを、二枚目の壁パネル５のＰ２の裏面側で枠組部材３に押し付けた状態で、二枚目の壁パネル５のＰ２を枠組部材３に固定する。さらに、固定された一枚目の壁パネル５のＰ１の延長部１２ｂと枠組部材３との間の隙間に三枚目の壁パネル５のＰ３を差し込んで、三枚目の壁パネル５のＰ３を枠組部材３に固定する。
【００３９】
この構成により、簡単な方法で壁パネル５を施工することができ、高い防水性が得られる。また、固定具により壁パネル５を枠組部材３に固定するだけで、壁パネル５を枠組部材３に設置することができる。
【００４０】
即ち、従来のように透湿防水シートを下地面材に巻き付けた後にステープルなどの固定針で固定する作業がなくなり、固定針を通す多数の穴が透湿防水シートに開けられてしまい、防水性が損なわれるという問題が解消されるという効果が得られる。
【００４１】
（第２実施形態）
本発明に係る壁パネルは、以上に説明した第１実施形態に係る壁パネル５以外の構造で構成するようにしてもよい。例えば、第２実施形態に係る壁パネル２５で構成するようにしてもよい。第２実施形態に係る壁パネル２５は、第１実施形態に係る壁パネル５と同様に構成されるが、同一の構成については説明を省略し、異なる部分について図面を参照して説明する。
【００４２】
壁パネル２５は、図７および図８に示すように、第１実施形態の壁パネル５と同様、下地面材１１と透湿防水シート２２とにより構成されている。透湿防水シート２２は、第１実施形態の透湿防水シート１２と同様の材質および厚みで形成されている。
【００４３】
透湿防水シート２２は、図８に示すように、下地面材１１の正面Ｆの全面を覆い、さらに正面Ｆから折り曲げて第１の側面Ｓ１および第２の側面Ｓ２を覆っている。また、透湿防水シート２２は、第２の側面Ｓ２の一端から他端まで長さＬ８および幅Ｌ９で均一に張り出す張出部２２ａを有している。透湿防水シート２２は、さらに正面Ｆから第４の側面Ｓ４の方向に水平に延びる延長部２２ｂを有している。
【００４４】
図９に示すように、透湿防水シート２２は、展開すると縦Ｌ１１、横Ｌ１２の大きさの平坦な方形のシートとなる。この透湿防水シート２２は、第１の側面Ｓ１に密着するように一点鎖線で山折りに折り曲げられ、さらに第２の側面Ｓ２に密着するように一点鎖線で山折りに折り曲げられるとともに、一点鎖線で谷折りに折り曲げられ、下地面材１１に接合される。
【００４５】
第２実施形態に係る壁パネル２５の施工方法について説明する。第２実施形態に係る壁パネル２５の施工方法も第１実施形態に係る壁パネル５の施工方法と同様に行われる。
図示しないが、まず、下段の一枚目の壁パネル２５を枠組部材３にボード用ビスなどの固定具Ｂで固定する。
【００４６】
次に、固定された下段の一枚目の壁パネル２５の隣に二枚目の壁パネル２５を並べて配置する。その際、一枚目の壁パネル２５の張出部２２ａを、二枚目の壁パネル２５の裏面側で枠組部材３に押し付ける。そして、図１０の平坦部に示すように、二枚目の壁パネル２５の側面を一枚目の壁パネル２５の側面に突き合わせた状態で、二枚目の壁パネル２５を枠組部材３に固定する。そして、三枚目以降の壁パネル２５も同様に横に並べて枠組部材３に固定し、建物１の下側を複数の連続する壁パネル２５で全周に亘って覆うように固定して壁パネル２５の下段を形成する。
【００４７】
次いで、上段の壁パネル２５を固定する。上段の壁パネル２５は、下段の複数の壁パネル２５と同様に、枠組部材３に固定される。例えば、固定された下段の一枚目の壁パネル２５の上に上段の一枚目の壁パネル２５を載せて、上段の一枚目の壁パネル２５の側面を下段の一枚目の壁パネル２５の側面に突き合わせた状態で、上段の一枚目の壁パネル２５を枠組部材３に固定する。そして、上段の二枚目以降も、同様に横に並べて枠組部材３に固定し、建物１の上側を複数の連続する壁パネル２５で全周に亘って覆うように固定して壁パネル２５の上段を形成する。この場合、図７に示すように、上段の壁パネル２５の延長部２２ｂは、下段の壁パネル２５の表面側に重ねられる。
【００４８】
第２実施形態に係る壁パネル２５も、第１実施形態に係る壁パネル５と同様、出隅部や入隅部へ施工することができる。図１０に示すように、出隅部では、平坦部と垂直する向きに位置する壁パネル２５が、平坦部に位置する壁パネル２５の張出部２２ａを枠組部材３に向かって押し付けた状態で、平坦部に位置する壁パネル２５を枠組部材３に固定する。
【００４９】
一方、入隅部では、平坦部に位置する壁パネル２５が、平坦部と垂直に位置する壁パネル２５の張出部２２ａを枠組部材３に向かって押し付けた状態で、平坦部に位置する壁パネル５を枠組部材３に固定する。
【００５０】
以上説明したように構成される第２実施形態に係る壁パネル２５も第１実施形態に係る壁パネル５と同様の効果が得られる。即ち、第２実施形態に係る壁パネル２５においても、下地面材１１の枠組部材３への固定と下地面材１１への透湿防水シート２５の被覆とが速やかに高い精度で行われ、職人による現場での透湿防水シートの施工作業が無くなり、現場での作業効率が高められるという効果が得られる。
【００５１】
また、壁パネル２５を枠組部材３に固定する施工により、高い防水性が得られる。なお、第２実施形態に係る壁パネル２５においては、図９に示すように、透湿防水シート２２の展開した形状に切り欠きが無いので素材を効率よく使用することができる。
【００５２】
（第３実施形態）
本発明に係る壁パネルは、第３実施形態に係る壁パネル３５で構成するようにしてもよい。第３実施形態に係る壁パネル３５は、第１実施形態に係る壁パネル５と同様に構成されるが、同一の構成については説明を省略し、異なる部分について図面を参照して説明する。
【００５３】
壁パネル３５は、図１１および図１２に示すように、第１実施形態の壁パネル５と同様、下地面材１１と透湿防水シート３２とにより構成されている。透湿防水シート３２は、第１実施形態の透湿防水シート１２と同様の材質および厚みで形成されている。
【００５４】
透湿防水シート３２は、図１２に示すように、下地面材１１の正面Ｆの全面を覆い、さらに正面Ｆから折り曲げて第１の側面Ｓ１および第２の側面Ｓ２を覆っている。また、透湿防水シート３２は、第３の側面Ｓ３の一端から他端まで幅Ｌ１３で均一に張り出す張出部３２ａを有している。透湿防水シート３２は、さらに正面Ｆから第１の側面Ｓ１の方向に長さＬ１４で均一に水平に延びる延長部３２ｂと、延長部３２ｂから第４の側面Ｓ４の方向に幅Ｌ１４、長さＬ１５で均一に水平に延びる延長部３２ｃとを有している。
【００５５】
図１３に示すように、透湿防水シート３２は、展開すると縦Ｌ１６、横Ｌ１７の大きさの平坦な方形で、縦ｋ３、横ｋ４の切り欠きを有するシートとなる。この透湿防水シート３２は、第４の側面Ｓ４に密着するように一点鎖線で山折りに折り曲げられ、さらに第３の側面Ｓ３に密着するように一点鎖線で山折りに折り曲げられるとともに、一点鎖線で谷折りに折り曲げられ、下地面材１１に接合される。
【００５６】
第３実施形態に係る壁パネル３５の施工方法について説明する。第３実施形態に係る壁パネル３５の施工方法も第１実施形態に係る壁パネル５の施工方法と同様に行われる。
図示しないが、まず、下段の一枚目の壁パネル３５を枠組部材３にボード用ビスなどの固定具Ｂで固定する。
【００５７】
次に、固定された下段の一枚目の壁パネル３５の隣に二枚目の壁パネル３５を並べて配置する。その際、二枚目の壁パネル３５の延長部３２ｂは一枚目の壁パネル３５の表面側に重ねられる。そして、二枚目の壁パネル３５の側面Ｓ１が一枚目の壁パネル３５の側面Ｓ２に突き合わされた状態で、枠組部材３に固定される。そして、三枚目以降の壁パネル３５も同様に横に並べて枠組部材３に固定し、建物１の下側を複数の連続する壁パネル３５で全周に亘って覆うように固定して壁パネル３５の下段を形成する。
【００５８】
次いで、上段の壁パネル３５を固定する。上段の壁パネル３５は、下段の複数の壁パネル３５と同様に枠組部材３に固定される。固定された下段の一枚目の壁パネル３５の上に上段の一枚目の壁パネル３５を載せて、上段の壁パネル３５の側面Ｓ４を、下段の壁パネル３５の側面Ｓ３に突き合わせた状態で、上段の一枚目の壁パネル３５を枠組部材３に固定する。その際、下段の壁パネル３５の張出部３２ａを、上段の壁パネル３５の裏面側で枠組部材３に押しつける。この場合、図１１に示すように、上段の壁パネル３５の延長部３２ｃが、下段の壁パネル３５の延長部３２ｂの表面側に重ねられる。さらに、上段の二枚目以降も、同様に横に並べて枠組部材３に固定し、建物１の上側を複数の連続する壁パネル３５で全周に亘って覆うように固定して壁パネル３５の上段を形成する。
【００５９】
第３実施形態に係る壁パネル３５も、第１実施形態に係る壁パネル５と同様、出隅部や入隅部へ施工することができる。図６に示す第１実施形態の壁パネル５と同様に、出隅部では、平坦部に位置する壁パネル３５が、平坦部と直交する向きに位置する壁パネル３５の張出部３２ａを枠組部材３に向かって押し付けた状態で、平坦部に位置する壁パネル３５を枠組部材３に固定する。
【００６０】
一方、入隅部では、平坦部と直交する向きに位置する壁パネル３５が、平坦部に位置する壁パネル３５の張出部３２ａを枠組部材３に向かって押し付けた状態で、平坦部と直交する向きに位置する壁パネル３５を枠組部材３に固定する。
【００６１】
以上説明したように構成される第３実施形態に係る壁パネル３５も第１実施形態に係る壁パネル５と同様の効果が得られる。即ち、第３実施形態に係る壁パネル３５においても、下地面材１１の枠組部材３への固定と下地面材１１への透湿防水シート３５の被覆とが速やかに高い精度で行われ、職人による現場での透湿防水シートの施工作業が無くなり、現場での作業効率が高められるという効果が得られる。また、壁パネル３５を枠組部材３に固定する施工により高い防水性が得られる。
【００６２】
（変形例）
また、変形例に係る大型壁パネル４５で構成するようにしてもよい。大型壁パネル４５は、図１４に示すように、大型壁パネル４５自体で、建物１の壁を構成している。図示しないが、建物１の壁は、大型壁パネル４５の屋外側に、図１に示す第１実施形態の外壁２と同様に、縦胴縁７と同様の縦胴縁と、外装材８と同様の外装材と、通気層９と同様の通気層が設けられる。
【００６３】
大型壁パネル４５は、図１４および図１５に示すように、パネル本体４６と透湿防水シート４７と、窓４８とにより構成されている。パネル本体４６は、屋内側の石膏ボード、枠組部材や断熱材が含まれる構造体からなり、例えば、縦の長さＭ１、横幅Ｍ２および厚みＴで形成されており、中央部に窓４８が挿入される方形の貫通孔ｈ１が形成されている。
【００６４】
パネル本体４６の縦の長さＭ１、横幅Ｍ２および厚みＴは、建物１の設定諸元などのデータにより適宜選択され、例えば、縦の長さＭ１は、５，０００ｍｍ程度、横幅Ｍ２は、２，８００ｍｍ程度のものである。パネル本体４６は、正面Ｆ、第１の側面Ｓ１、第２の側面Ｓ２、第３の側面Ｓ３、第４の側面Ｓ４を有している。
【００６５】
透湿防水シート４７は、第１実施形態の透湿防水シート１２と同様の材質および厚みで形成されている。透湿防水シート４７は、図１５に示すように、パネル本体４６の正面Ｆの全面を覆い、さらに正面Ｆから折り曲げて第１の側面Ｓ１および第２の側面Ｓ２を覆っている。
【００６６】
また、透湿防水シート４７は、第１の側面Ｓ１の一端から他端まで幅Ｌ１８で均一に張り出す張出部４６ａを有し、さらに正面Ｆから第４の側面Ｓ４の方向に長さＬ１９で均一に水平に延びる延長部４６ｂを有している。
【００６７】
また、透湿防水シート４７には、中央部に方形の貫通孔ｈ２が形成されており、各辺で、パネル本体４６の方向に均一の幅Ｌ２０で折り曲げられた折曲部４６ｃ、４６ｄ、４６ｅ、４６ｆを有している。この折曲部４６ｃ、４６ｄ、４６ｅ、４６ｆは、透湿防水シート４７をパネル本体４６に接合する際に、パネル本体４６の貫通孔ｈ１の内壁面の上側に重なるようになっている。
【００６８】
変形例に係る大型壁パネル４５の施工方法も第１実施形態に係る壁パネル５の施工方法と同様に行われる。図１４に向かって左側に大型壁パネル４５を設置する。大型壁パネル４５は、基礎Ｋに設けられた梁Ｈから突出するアンカーボルトなどの図示しない締結具により固定される。次いで、図１４に向かって右側に他の大型壁パネル４５を設置する。このとき、左側に設置された大型壁パネル４５から張り出している張出部４６ａに、右側の他の大型壁パネル４５の左側部分が重なるようにして固定される。
【００６９】
以上説明したように構成される変形例に係る大型壁パネル４５も第１実施形態に係る壁パネル５と同様の効果が得られる。即ち、変形例に係る大型壁パネル４５においても、大型壁パネル４５が速やかに高い精度で施工され、職人による現場での透湿防水シートの施工作業が無くなり、現場での作業効率が高められるという効果が得られる。
【００７０】
また、変形例に係る大型壁パネル４５は、張出部４６ａおよび延長部４６ｂを有しているので、大型壁パネル４５を基礎Ｋに設けられた梁Ｈに固定するだけで、大型壁パネル４５自体や、隣接する大型壁パネルとの突き合わせ部分の高い防水性が得られる。
【符号の説明】
【００７１】
１・・・建物
２・・・外壁
３・・・枠組部材
３ａ・・・柱
４・・・石膏ボード
５、２５、３５・・・壁パネル
６・・・断熱材
７・・・縦胴縁
８・・・外装材
９・・・通気層
１１・・・下地面材
１２、２２、３２、４７・・・透湿防水シート
１２ａ、２２ａ、３２ａ、４６ａ・・・張出部
１２ｂ、１２ｃ、２２ｂ、３２ｂ、３２ｃ、４６ｂ・・・延長部
４５・・・大型壁パネル
４６・・・パネル本体
４６ｃ、４６ｄ、４６ｅ、４６ｆ・・・折曲部
４８・・・窓
Ｆ・・・正面
Ｓ１・・・第１の側面
Ｓ２・・・第２の側面
Ｓ３・・・第３の側面
Ｓ４・・・第４の側面
【図１】
2018193693.tif 000003
【図２】
2018193693.tif 000004
【図３】
2018193693.tif 000005
【図４】
2018193693.tif 000006
【図５】
2018193693.tif 000007
【図６】
2018193693.tif 000008
【図７】
2018193693.tif 000009
【図８】
2018193693.tif 000010
【図９】
2018193693.tif 000011
【図１０】
2018193693.tif 000012
【図１１】
2018193693.tif 000013
【図１２】
2018193693.tif 000014
【図１３】
2018193693.tif 000015
【図１４】
2018193693.tif 000016
【図１５】
2018193693.tif 000017